(57)【要約】【課題】構造物の周囲の施工条件や構造物の構造形式に制限されることなく、構造物に隣接して仮設構造物の支持構造を構築することが可能な仮設架台および構造物の構築方法を提案する。【解決手段】橋脚３の外面から張り出されたブラケット３１と、ブラケット３１を固定する固定部材３２とを有する仮設架台３０であって、固定部材３２は、橋脚３を前後から挟む一対の固定梁３４，３４と、一対の固定梁３４，３４の間に横架された固定梁用緊張材３５とを備え、固定梁用緊張材３５は、橋脚３の左右の側面に沿って配設されている。【選択図】図２
2015098683.tif 000002
【特許請求の範囲】
【請求項１】
構造物の外面から張り出されたブラケットと、
前記ブラケットを固定する固定部材と、を有する仮設架台であって、
前記固定部材は、前記構造物を前後から挟む一対の固定梁と、前記一対の固定梁の間に横架された固定梁用緊張材と、を備え、
前記固定梁用緊張材は、前記構造物の左右の側面に沿って配設されていることを特徴とする、仮設架台。
【請求項２】
前記構造物の前面に沿って立設された支柱をさらに備えており、
前記支柱は、前記ブラケットを支持していることを特徴とする、請求項１に記載の仮設架台。
【請求項３】
前記支柱の中間部に座屈防止部材が配設されており、
前記座屈防止部材は、前記支柱の前面と前記構造物の後面とに配設された一対の横材と、前記一対の横材の間に横架された横材用緊張材と、を備え、
前記横材用緊張材は、前記構造物の側面に沿って配設されていることを特徴とする、請求項２に記載の仮設架台。
【請求項４】
構築する構造物の既設部分の外面に固定されたブラケットに立脚するように設置されたクレーンを揚重機に用いて前記構造物の残部を構築することを特徴とする、構造物の構築方法。
【請求項５】
前記ブラケットは、前記構造物の既設部分の外面に沿って配された鋼棒で圧着されていることを特徴とする、請求項４に記載の構造物の構築方法。
【発明の詳細な説明】
【技術分野】
【０００１】
本発明は、仮設架台および構造物の構築方法に関する。
【背景技術】
【０００２】
構造物を施工する際に使用するタワークレーン、作業床、足場、エレベーター等の仮設構造物は、構造物に隣接してその支持構造（基礎等）を構築するのが一般的である。
ところが、構造物の周囲に十分な施工スペースを確保することができない場合には、構造物に隣接して仮設構造物の支持構造を構築することができない。
【０００３】
一方、本出願人は、特許文献１に示すように、中空鋼管が埋め込まれた鋼管・コンクリート複合橋脚の施工について、鋼管を基礎に立設し、この鋼管をマストとして設置されたタワークレーンを利用して橋脚を構築する施工方法を開発し、実用化に至っている。
【先行技術文献】
【特許文献】
【０００４】
【特許文献１】特開２００１−１５２４１６号公報
【発明の概要】
【発明が解決しようとする課題】
【０００５】
特許文献１の橋脚の施工方法は、鋼管・コンクリート複合橋脚の施工には有効であるものの、橋脚の内部に鋼管が残存するため、鉄筋コンクリート構造の橋脚には採用することができなかった。
また、橋脚上面にクレーンを固定するため、橋脚上面の作業や橋脚付近の作業を行うことができず、資材の揚重や荷取り、躯体の施工等に支障をきたす場合がある。
【０００６】
このような観点から、本発明は、構造物の周囲の施工条件や構造物の構造形式に制限されることなく、構造物に隣接して仮設構造物の支持構造を構築することが可能な仮設架台および構造物の構築方法を提案することを課題とする。
【課題を解決するための手段】
【０００７】
前記課題を解決するために、本発明は、構造物の外面から張り出されたブラケットと、前記ブラケットを固定する固定部材とを有する仮設架台であって、前記固定部材は、前記構造物を前後から挟む一対の固定梁と前記一対の固定梁の間に横架された固定梁用緊張材とを備え、前記固定梁用緊張材は、前記構造物の左右の側面に沿って配設されていることを特徴としている。
【０００８】
かかる仮設架台によれば、固定部材が構造物の外部に配設されているため、アンカー等の仮設用の固定用部材が構造物内に残存することがない。
そのため、切り立った斜面等に隣接して構造物を構築する場合であっても、仮設構造物用の支持構造（架台）を構造物に隣接して設置することが可能である。
ここで、仮設架台が設置される構造物は、既設の構造物であってもよいし、施工中の構造物の既設部分であってもよい。
【０００９】
なお、前記ブラケットを支持する支柱が、前記構造物の前面に沿って立設されていれば、当該支柱が固定部材を下方から支持することで、構造物に作用する負荷を低減させることができる。
【００１０】
前記支柱の中間部には座屈防止部材が配設されていてもよい。この座屈防止部材は、前記支柱の前面と前記構造物の後面とに配設された一対の横材と前記一対の横材の間に横架された横材用緊張材とを備え、前記横材用緊張材は前記構造物の側面に沿って配設されているのが望ましい。
このような座屈防止部材を有していることで、支柱の小断面化を図ることができる。
【００１１】
また、本発明の構造物の構築方法は、構築する構造物の既設部分の外面に固定されたブラケットに立脚するように設置されたクレーンを揚重機に用いて前記構造物の残部を構築することを特徴としている。
【００１２】
かかる構造物の構築方法によれば、構造物の周囲の施工条件や構造物の構造形式に制限されることなく、構造物上面の作業や構造物付近での作業を行うことができる。
【００１３】
なお、前記構造物の構築方法のブラケットが、前記構造物の既設部分の外面に沿って配された鋼棒で圧着されていれば、構造物にアンカー等の仮設用の固定部材が残存することがない。
【発明の効果】
【００１４】
本発明の仮設架台および構造物の構築方法によれば、構造物の周囲の施工条件や構造物の構造形式に制限されることなく、構造物に隣接して仮設構造物の支持構造を構築することが可能である。
【図面の簡単な説明】
【００１５】
【図１】本実施形態の仮設架台の使用状況を示す側面図である。
【図２】（ａ）は図１の仮設架台を示す拡大側面図、（ｂ）は（ａ）のＡ部分拡大図である。
【図３】（ａ）は仮設架台を示す平面図、（ｂ）は（ａ）のＢ部分拡大図である。
【図４】（ａ）は仮設架台の正面図、（ｂ）は（ａ）のＣ部分拡大図、（ｃ）は（ａ）のＤ部分拡大図である。
【図５】タワークレーンのつなぎ材を示す平面図である。
【発明を実施するための形態】
【００１６】
本実施形態では、図１に示すように、橋梁上部工（構造物の残部）２を構築するためのタワークレーン１を支持するために、橋脚（構造物の既設部分）３に固定された仮設架台３０について説明する。
なお、説明において、前後左右は、図３に示す方向に統一する。
【００１７】
本実施形態のタワークレーン１は、クレーン本体１０と、マスト２０とを備えている。
クレーン本体１０は、いわゆるジブクライミングクレーンであって、ジブ１１を有しているとともに、マスト２０に沿って上昇することが可能に構成されている。また、クレーン本体１０は、マスト２０の上端において、水平面内での旋回が可能である。
なお、クレーン本体１０の構成は限定されるものではない。
【００１８】
マスト２０は、クレーン本体１０を支持する塔状部材であって、仮設架台３０に立設されている。
マスト２０は、複数のマスト部材２１を上下方向で連結することにより形成されている。
【００１９】
マスト部材２１は、鋼材を角柱状に組み合わせることにより形成されている。なお、マスト部材２１の構成は限定されるものではなく、例えば、鋼管により形成されていてもよい。
【００２０】
マスト２０の下端は、基礎２２を介して仮設架台３０に固定されている。
基礎２２は、図２に示すように、仮設架台３０（受桁３１ｂ）の上面に固定されている。
本実施形態の基礎２２は、図３に示すように、平面視Ｘ字状に配置された鋼材からなり、各鋼材の端部において治具２３を介して仮設架台３０に固定されている。
【００２１】
最下段に配設されたマスト部材２１は、Ｘ字状の基礎２２の交差部分（中央部）に固定されている。
なお、基礎２２の構成は限定されるものではない。また、最下段のマスト部材２１と基礎２２との固定方法も限定されない。
【００２２】
仮設架台３０は、ブラケット３１と固定部材３２と支柱４０とを備えて構成されていて、タワークレーン１の支持構造を構成している。
ブラケット３１は、図２および図３に示すように、橋脚３の外面から張り出されて、マスト２０を支持している。
【００２３】
ブラケット３１は、橋脚３から横方向に張り出した２本の主梁３１ａ，３１ａと、２本の主梁３１ａ，３１ａの上面に横架された２本の受桁３１ｂ，３１ｂとにより、平面視井桁状に形成されている。
なお、ブラケット３１の構成は限定されるものではなく、例えば鋼材を組み合わせることにより口字状に形成されていてもよいし、版状の部材により形成されていてもよい。
【００２４】
ブラケット３１の上面には、マスト２０の基礎２２が固定されている。
ブラケット３１への基礎２２の固定は、基礎２２および受桁３１ｂを、治具２３により挟持することにより行う。
【００２５】
治具２３は、基礎２２および受桁３１ｂを挟むように上下に配設された一対の挟持鋼材２３ａ，２３ａと、一対の挟持鋼材２３ａ，２３ａに横架されたボルト２３ｂとにより構成されている。
治具２３は、一方の挟持鋼材２３ａを基礎２２の上面に、他方の挟持鋼材２３ａを受桁３１ｂの下面にそれぞれ配設した状態で、両挟持鋼材２３ａをボルト２３ｂにより締め付けることで、基礎２２にブラケット３１を固定する。
【００２６】
ブラケット３１は、橋脚３の外面に配設された固定部材３２および斜材３３を有している。
ブラケット３１の主梁３１ａは、一端が固定部材３２に一体に固定されているとともに、他端側において斜材３３により支持されている。
【００２７】
固定部材３２は、図３に示すように、橋脚３を前後から挟む一対の固定梁３４，３４と、一対の固定梁３４，３４の間に横架された固定梁用緊張材３５とを備えている。
【００２８】
固定梁３４は、橋脚３の前面または後面に当接した状態で、水平に配設されたＨ形鋼により構成されている。固定梁３４は、橋脚３の幅よりも長く、その両端は橋脚３の側面から張り出している。なお、固定梁３４を構成する材料は、例えば溝形鋼や鋼管等でもよく、Ｈ形鋼に限定されるものではない。
【００２９】
本実施形態では、図２に示すように、橋脚３の前面および後面に、それぞれ上下に２本ずつ固定梁３４を配設しているが、固定梁３４の本数は限定されない。
【００３０】
固定梁用緊張材３５は、図２および図３に示すように、橋脚３の左右の側面に沿って配設されていて、両端が固定梁３４の突出部分に固定されている。
固定梁用緊張材３５は、上下２段に配設された固定梁３４，３４の上下に配設されている。すなわち、橋脚３の各側面に上下２本の固定梁用緊張材３５，３５が配置されている。
【００３１】
橋脚３の各側面において、上下の固定梁用緊張材３５，３５は、上下２本の固定梁３４，３４を挟むように配置されている。すなわち、上側の固定梁用緊張材３５は上側の固定梁３４の上面、下側の固定梁用緊張材３５は下側の固定梁３４の下面に配置されている。
なお、固定梁用緊張材３５の本数および配置は限定されない。
【００３２】
本実施形態では、固定梁用緊張材３５として鋼棒を使用する。なお、固定梁用緊張材３５は、例えば鋼線であってもよく、固定梁用緊張材３５を構成する材料は限定されるものではない。
【００３３】
固定梁用緊張材３５は、固定梁３４の端部（橋脚３から張り出した部分）に配設された受材３６を介して固定梁３４に固定されている。
【００３４】
受材３６は、溝形鋼により構成されていて、図４に示すように、固定梁用緊張材３５の端部を挟むように配設されている。
固定梁用緊張材３５は係止部材３７を介して受材３６に端部が固定されている。
【００３５】
本実施形態の係止部材３７は、中央に貫通孔が形成された鋼板からなり、固定梁用緊張材３５を挟む受材３６に跨って配設されている。なお、係止部材３７は必要に応じて配設すればよい。
【００３６】
固定梁用緊張材３５は、係止部材３７の貫通孔を貫通した状態で、この突出部分にナット３８を螺合することにより固定される。
固定梁用緊張材３５に緊張力を導入することで、固定梁３４が橋脚３に固定される。
【００３７】
斜材３３は、図２に示すように、一端がブラケット３１の下面に固定されていて、他端が橋脚３の前面に配設された支柱４０に固定されている。
本実施形態の斜材３３は、ジャッキ３３ａを有しており伸縮可能に構成されている。なお、ジャッキ３３ａは必要に応じて設ければよい。
【００３８】
支柱４０は、橋脚３の前面に沿って立設された鋼材であって、ブラケット３１を支持している。支柱４０の背面は橋脚３の前面に当接している。
本実施形態の支柱４０はＨ形鋼により構成するが、支柱４０を構成する材料は限定されない。また、本実施形態では橋脚３の前面側のみに支柱４０を配設しているが、支柱４０は橋脚３の後面側にも配設してもよい。
【００３９】
本実施形態では、図４に示すように、２本の支柱４０，４０を所定の間隔をあけて左右に並設する。２本の支柱４０，４０はブレース４１を介して連結されている。
なお、ブレース４１を構成する材料は限定されないが、本実施形態ではＬ形鋼を使用する。また、支柱４０の本数は限定されない。
【００４０】
支柱４０は、橋脚３の前面に形成された支柱基礎４６の上面に立設されている。本実施形態では、Ｈ形鋼を基礎地盤上に敷設することにより支柱基礎４６を形成しているが、支柱基礎４６の構成や材料は限定されない。
【００４１】
本実施形態では、図２に示すように、支柱４０の斜材３３との接合部上下、および、斜材３３と地表面との中間部付近に座屈防止部材４２が配設されている。
【００４２】
座屈防止部材４２は、支柱４０の前面と橋脚３の後面とに配設された一対の横材４３，４３と、一対の横材４３，４３の間に横架された横材用緊張材４４とを備えている。
一方の横材４３は支柱４０の前面に当接しており、他方の横材４３は橋脚３の後面に当接している。
【００４３】
横材４３は、水平に配設された溝形鋼４３ａにより構成されている。図４に示すように、本実施形態では２本の溝形鋼４３ａ，４３ａを上下平行に配置することで横材４３を構成するが、横材４３の構成は限定されない。
【００４４】
横材４３は、橋脚３の幅よりも長く、その両端は橋脚３の側面から張り出しており、この張り出し部分において、横材用緊張材４４を挟んでいる。
【００４５】
横材用緊張材４４は、橋脚３の左右の側面に沿って配設されていて、両端が横材４３の張り出し部分に固定されている。
本実施形態では、横材用緊張材４４として鋼棒を使用する。横材用緊張材４４は、例えば鋼線であってもよく、横材用緊張材４４を構成する材料は限定されない。
【００４６】
横材用緊張材４４は、横材４３の端部（橋脚３から張り出した部分）に配設された係止部材４７を介して横材４３の端部に固定されている。
本実施形態の係止部材４７は、中央に貫通孔が形成された鋼板からなり、横材用緊張材４４を挟む横材に跨って配設されている。なお、係止部材４７は必要に応じて配設すればよく、省略してもよい。
【００４７】
横材用緊張材４４は、係止部材４７の貫通孔を貫通し、この突出部分にナット４８を螺合することにより固定される。
横材用緊張材４４に緊張力を導入することで、横材４３を橋脚３に固定している。
【００４８】
図２に示すように、支柱４０の上端部には、前面側に突出する補助部材４５が固定されている。補助部材４５は、Ｈ形鋼等により構成されていて、ブラケット３１の主梁３１ａと固定梁３４との接合部を下方から支持している。
なお、補助部材４５は、必要に応じて設置すればよい。また、補助部材４５の構成は限定されない。
【００４９】
本実施形態のタワークレーン１は、図１に示すように、つなぎ材５０をさらに有している。つなぎ材５０は、タワークレーン１のマスト２０が長い場合に、マスト２０を保持する。なお、つなぎ材５０は、必要に応じて形成すればよく、例えばマスト２０の高さが小さい場合には省略してもよい。
【００５０】
つなぎ材５０は、図５に示すように、橋脚３の前面から張り出すように形成されている。本実施形態のつなぎ材５０は、保持材５１と梁材５２とを備えている。
【００５１】
保持材５１は、鋼材を組み合わせることにより枠状に形成されている。保持材５１は、マスト２０を挿通させた状態で保持する。
【００５２】
梁材５２は、Ｈ形鋼等の鋼材からなり、橋脚３の側面にアンカー５３を介して固定された状態で、橋脚３の側面から水平に張り出している。梁材５２の先端には、保持材５１が固定されている。
【００５３】
本実施形態のつなぎ材５０は、Ｚ字状に配設された３本の梁材５２を有しているが、梁材５２の本数や配置は限定されるものではない。
【００５４】
橋梁上部工２の施工は、図１に示すように、橋脚３に固定されたブラケット３１（仮設架台３０）に立脚するように設置されたタワークレーン１を揚重機に用いて行う。
【００５５】
本実施形態の仮設架台３０は、緊張材（固定梁用緊張材３５）を利用して、橋脚３の外面を挟持した状態で固定されているため、橋脚３の内部に仮設架台３０を固定するための仮設部材が残存することがない。
【００５６】
仮設架台３０は、橋脚３に取り付けられているため、切り立った斜面等に隣接して橋梁上部工２を構築する場合であっても、タワークレーン１を橋脚３の外部に隣接して設置することができる。
【００５７】
ブラケット３１（仮設架台３０）は、橋脚３の前面に立設された支柱４０により支持されているため、ブラケット３１を介して橋脚３に作用する負荷を低減させることができるとともに、固定部材３２の固定梁用緊張材３５の負担も低減させることができる。
【００５８】
ブラケット３１は、斜材３３を有しているため、ブラケット３１に作用する力を分散させることで、主梁３１ａおよび固定部材３２に作用する負荷の低減化を可能としている。そのため、ブラケット３１の構成する各部材の小断面化を図ることができ、ゆえに、工事費の低減化を図ることができる。
【００５９】
また、斜材３３は、ジャッキ３３ａを有しているため、ブラケット３１の水平度を維持するための調整が容易である。
【００６０】
また、支柱４０は、座屈防止部材４２により補強されているため、支柱２を構成する鋼材の小断面化を図ることができる。そのため、鋼材量の低減により、工事費の低減化を図ることができる。
【００６１】
以上、本発明に係る実施形態について説明した。しかし、本発明は、前述の実施形態に限られず、前記の各構成要素については、本発明の趣旨を逸脱しない範囲で、適宜変更が可能である。
【００６２】
例えば、前記実施形態では、仮設架台によりタワークレーンを支持する場合について説明したが、仮設架台により支持される構造体は、タワークレーンに限定されるものではなく、例えば、作業床、足場、エレベーター等に使用してもよい。
【００６３】
また、支柱は必要に応じて配設すればよく、省略してもよい。また、座屈防止部材も必要に応じて配設すればよい。
また、ブラケットの橋脚への固定方法は限定されるものではない。
【００６４】
また、前記実施形態では橋脚に仮設架台（ブラケット）を取り付ける場合について説明したが、仮設架台が固定される構造物は橋脚に限定されるものではない。
【００６５】
また、本発明の構造物の構築方法により構築される構造物は橋梁に限定されるものではない。
【符号の説明】
【００６６】
１    タワークレーン
２    橋梁上部工
３    橋脚
１０  クレーン本体
２０  マスト
３０  仮設架台
３１  ブラケット
３２  固定部材
３４  固定梁
３５  固定梁用緊張材
４０  支柱
４３  横材
４４  横材用緊張材
【図１】
2015098683.tif 000003
【図２】
2015098683.tif 000004
【図３】
2015098683.tif 000005
【図４】
2015098683.tif 000006
【図５】
2015098683.tif 000007